(57)【要約】      （修正有）【課題】天板の下面側に配設された棚を備えたフラップ天板付家具において、部品点数及び組み付け工数の削減を図る。【解決手段】左右対をなす脚体１Ａ、１Ｂと、これら脚体１Ａ、１Ｂ上に配される天板２と、この天板２を前記各脚体１Ａ、１Ｂに使用姿勢（Ｕ）から跳ね上げ姿勢までの間でフラップ動作し得るように支持させる左右対をなす天板支持機構３Ａ、３Ｂと、これら両天板支持機構同士３Ａ、３Ｂを結合させる連結ビーム４と、前記天板２の下面側に配設された棚５とを具備してなるフラップ天板付家具Ｔにおいて、前記棚５の基端側を前記連結ビーム４に回動可能に支持させるとともに、先端側をリンクステー９３を介して前記天板２の使用端側に支持させる。【選択図】図１
2014079532.tif 000002
【特許請求の範囲】
【請求項１】
左右対をなす脚体と、これら脚体上に配される天板と、この天板を前記各脚体に使用姿勢から跳ね上げ姿勢までの間でフラップ動作し得るように支持させる左右対をなす天板支持機構と、これら両天板支持機構同士、又は前記脚体同士を結合させる連結ビームと、前記天板の下面側に配設された棚とを具備してなり、
前記棚の基端側を前記連結ビームに回動可能かつ着脱可能に支持させるとともに、先端側をリンクステーを介して前記天板の使用端側に支持させていることを特徴とするフラップ天板付家具。
【請求項２】
前記棚が、左右対をなす側フレームと、これら側フレーム間に架設される横架材とを備えたものであり、前記側フレームの基端部を前記連結ビームに回動可能に支持させるとともに、前記側フレームの先端部を前記リンクステーを介して前記天板の使用端側に支持させている請求項１記載のフラップ天板付家具。
【請求項３】
前記連結ビームが、横断面円形をなすものであり、前記棚の側フレームの基端部が、前記連結ビームに対して径方向から部材の一時的な弾性変形を利用して着脱しうる側面視Ｃ字形をなすものである請求項２記載のフラップ天板付家具。
【請求項４】
前記側フレームの基端部が、使用姿勢において下方に開放された形態をなし、上側から前記連結ビームに対して着脱しうる形態をなしている請求項３記載のフラップ天板付家具。
【請求項５】
前記連結ビームにより前記両天板支持機構同士を結合し、前記リンクステーを前記天板支持機構に接続している請求項１、２、３又は４記載のフラップ天板付家具。
【発明の詳細な説明】
【技術分野】
【０００１】
本発明は、オフィスや学校等に用いられ、天板が使用姿勢から跳ね上げ姿勢までの間でフラップ動作し得るとともに、天板の下面側に棚が配設されたフラップ天板付家具に関する。
【背景技術】
【０００２】
従来より、オフィスにおける会議等に用いられる天板付家具として、天板が使用姿勢から跳ね上げ姿勢までの間でフラップ動作し得るとともに、天板の下面側に配設され天板と平行にフラップ動作可能な棚を有するフラップ天板付家具が知られている（例えば、特許文献１を参照）。従来のこの種のフラップ天板付家具は、天板を前記跳ね上げ姿勢とした状態で、使用端側に同一構造をなす他のフラップ天板付家具をスタッキング可能であるが、スタックピッチを小さくしてより効率的にこのようなフラップ天板付家具を収納すべく、棚を天板と連動してフラップ動作可能にし、天板を前記跳ね上げ姿勢とした状態で棚が天板の下面に接近するようにしている。より具体的には、棚の基端部の左右両端を左右の脚体にそれぞれ接続しているとともに先端側をリンクステーを介して天板側に接続している。ところが、このような構造では、部品点数が多く、また、棚の基端部の左右両端を脚体にピン軸を介して接続する必要があり、さらにリンクステーの両端をそれぞれ棚及び天板に軸着する必要があるので、組み付け工数も多いという不具合が存在する。
【先行技術文献】
【特許文献】
【０００３】
【特許文献１】特開平１１−１５５６６５号公報
【発明の概要】
【発明が解決しようとする課題】
【０００４】
本発明は以上の点に着目し、天板の下面側に配設された棚を備えたフラップ天板付家具において、収納時のスタックピッチを短縮しより効率的に収納できるようにすることを図りつつ、部品点数及び組み付け工数の削減を図ることを目的とする。
【課題を解決するための手段】
【０００５】
以上の課題を解決すべく、本発明に係るフラップ天板付家具は、以下に述べるような構成を有する。すなわち本発明に係るフラップ天板付家具は、左右対をなす脚体と、これら脚体上に配される天板と、この天板を前記各脚体に使用姿勢から跳ね上げ姿勢までの間でフラップ動作し得るように支持させる左右対をなす天板支持機構と、これら両天板支持機構同士、又は前記脚体同士を結合させる連結ビームと、前記天板の下面側に配設された棚とを具備してなり、前記棚の基端側を前記連結ビームに回動可能かつ着脱可能に支持させるとともに、先端側をリンクステーを介して前記天板の使用端側に支持させている。
【０００６】
このようなものであれば、棚の基端側を直接前記連結ビームに回動可能に支持させているので、棚が天板と連動してフラップ動作可能となり収納時のスタックピッチの短縮を図ることができるとともに、棚の基端側を接続するための軸が不要となり、部品点数及び組み付け工数の削減を図ることができる。なお、本発明において、「棚の先端側を天板の使用端側に支持させる」とは、棚の先端側を天板の使用端側の部位に直接支持させる態様だけでなく、棚の先端側の部位と天板の使用端側の部位とを他の部材を介して間接的に支持させる態様も含む概念である。
【０００７】
基端部を直接連結ビームに回動可能に支持させることができる棚の構成の一例として、左右対をなす側フレームと、これら側フレーム間に架設される横架材とを備え、前記側フレームの基端部を前記連結ビームに回動可能に支持させるとともに、前記側フレームの先端部を前記リンクステーを介して前記天板の使用端側に支持させるものが挙げられる。
【０００８】
このような棚の連結ビームへの取り付けを容易に行えるようにするための棚及び連結ビームの構成の一例として、前記連結ビームが横断面円形をなし、前記棚の側フレームの基端部が前記連結ビームに対して径方向から部材の一時的な弾性変形を利用して着脱しうる側面視Ｃ字形をなすものが挙げられる。
【０００９】
このような棚の使用時に棚に載置した物品の荷重により棚が落下する不具合の発生を抑制するには、前記側フレームの基端部が使用姿勢において下方に開放された形態をなし、上側から前記連結ビームに対して着脱しうる形態を採用するとよい。
【００１０】
天板支持機構、連結ビーム、及びこの棚を共通部品化し、種々の脚体及び天板と組み合わせて棚を有する多くの種類の天板付家具を少ない種類の部品で製造することを図ることができるようにするには、前記連結ビームにより前記両天板支持機構同士を結合し、前記リンクステーを前記天板支持機構に接続するとよい。
【発明の効果】
【００１１】
天板の下面側に配設された棚を備えたフラップ天板付家具において、収納時のスタックピッチを短縮しより効率的に収納できるようにすることを図りつつ、部品点数及び組み付け工数の削減を図ることができる。
【図面の簡単な説明】
【００１２】
【図１】本発明の一実施形態にかかるフラップ天板付家具の外観図。
【図２】同実施形態にかかるフラップ天板付家具（使用姿勢）の左側面図。
【図３】同実施形態にかかるフラップ天板付家具（跳ね上げ姿勢）の左側面図。
【図４】同実施形態にかかるフラップ天板付家具（跳ね上げ姿勢）の正面図。
【図５】図４のＸ−Ｘ線断面図。
【図６】同実施形態にかかるフラップ天板付家具の分解斜視図。
【図７】同実施形態にかかるフラップ天板付家具の要部を拡大して示す分解斜視図。
【図８】図４のＹ部分を一部省略して示す図。
【図９】図４のＺ−Ｚ線拡大断面図。
【図１０】図４のＷ−Ｗ線断面で示す作用説明図。
【図１１】図４のＷ−Ｗ線断面で示す作用説明図。
【図１２】同実施形態にかかるフラップ天板付家具の中央側断面で示す作用説明図。
【図１３】同実施形態にかかるフラップ天板付家具の中央側断面で示す作用説明図。
【発明を実施するための形態】
【００１３】
以下、本発明の一実施形態について図面を参照して説明する。
【００１４】
この実施形態は、図１〜図１３に示すように、本発明をいわゆるフラップテーブルと称されるフラップ天板付家具Ｔに適用した場合のものである。
【００１５】
このフラップ天板付家具Ｔは、図１〜図１３に示すように、左右対をなす脚体１Ａ、１Ｂと、これら脚体１Ａ、１Ｂ上に配される天板２と、この天板２を前記各脚体１Ａ、１Ｂに使用姿勢（Ｕ）から跳ね上げ姿勢（Ｆ）までの間でフラップ動作し得るように支持させる左右対をなす天板支持機構３Ａ、３Ｂと、これら両天板支持機構３Ａ、３Ｂ同士を結合させる連結ビーム４と、前記天板２の使用端ｘ側の下方に配設された棚５と、前記天板２の反使用端ｙ側の下方に配設された幕板６を具備してなる。そして、前記左右の天板支持機構３Ａ、３Ｂと、これら天板支持機構３Ａ、３Ｂ同士を結合させる連結ビーム４とを主体としてプラットフォーム化の中核となるメカユニット７が構成されている。以下、前記各構成要素について詳述する。
【００１６】
＜脚体＞
前記左の脚体１Ａは、図１〜図９に示すように、支柱１１と、この支柱１１の下端部１１ａから使用端ｘ側に延設された後脚１２と、この後脚１２よりも内側に位置させて前記支柱１１の下端部１１ａから反使用端ｙ側に延設された前脚１３と、これら後脚１２及び前脚１３の先端に設けたキャスタ１４とを備えてなる。
【００１７】
前記支柱１１は、図１〜図９に示すように、例えばスチール製の角柱パイプ素材を所要長さに切断して作られるもので、その内部に下方からボルト１１１を装着可能な竪ネジ孔１１２を有する脚取付用ブロック１１３と、左右方向からボルト１１４を装着可能な横ネジ孔１１５及び位置決め孔１１６を有する軸プレート取付用ブロック１１７とが溶接等により固設されている。この支柱１１の上端には、合成樹脂製のキャップ１１８が帽着されている。なお、前記横ネジ孔１１５及び位置決め孔１１６は、この支柱１１の起立面である内側面１１９にそれぞれ開口させてある。
【００１８】
前記後脚１２は、図１〜図６に示すように、基端側に前記支柱１１の下端に嵌合する嵌合部１２１を有したもので、その嵌合部１２１を貫通して前記支柱１１の竪ネジ孔１１２に下側から螺合させたボルト１１１により該支柱１１に取着されている。この後脚１２の外側面１２２と前記支柱１１の外側面１１０とは略面一に連続させてあり、前記前脚１３は、これら支柱１１及び後脚１２よりも内側に偏位させて設けてある。
【００１９】
前記前脚１３は、図１〜図６に示すように、基端側外側面１３１を前記後脚１２の基端側内側面１２３に一体化させたもので、この前脚１３と前記後脚１２とは、例えばアルミニューム合金を材料にして一体に作られたダイキャスト製のものである。すなわち、この前脚１３は前記後脚１２の嵌合部１２１を介して前記支柱１１の下端部１１ａに取り付けられている。前記後脚１２及び前記前脚１３の各中間部分は下方に開放された中空体状をなしており、内部に図示しない補強用のリブを備えている。
【００２０】
前記右の脚体１Ｂは、図１、図４〜図６及び図１０〜図１３に示すように、以上説明した左の脚体１Ａと左右対称形状をなすものであり、同一又は対応する部分には同一の符号を付して説明を省略する。
【００２１】
前記左の脚体１Ａの後脚１２及び前記右の脚体１Ｂの後脚１２は、図４及び図５に示すように、後方に向って漸次その間隔が大きくなるように傾斜させてあるとともに、前記左の脚体１Ａの前脚１３及び前記右の脚体１Ｂの前脚１３は、前方に向って漸次その間隔が小さくなるように傾斜させてある。
【００２２】
上記の構成であるため、前記天板２を跳ね上げた状態で前記両脚体１Ａ、１Ｂの後脚１２、１２間に同一構造をなす他の家具Ｑの左右の前脚１３、１３を侵入させることによって、当該フラップ天板付家具Ｔの使用端ｘ側に、同一構造をなす他のフラップ天板付家具Ｑをスタッキングさせることができるようになっている。
【００２３】
＜天板＞
前記天板２は、図１〜図６及び図８〜図１３に示すように、左右方向に細長い長方形状をなすものであり、例えば通常の木製天板と同様な構成をなしている。この天板２の下面２１における左右両端部に天板受け取付用の埋設ナット２２が設けられている。そして、左右方向中央に天板たわみ防止部材８が取り付けられているとともに、前記天板２の下面２１における反使用端ｙ側に前記幕板６の支持部材である固定タイプのリンクステー９１が取り付けられている。
【００２４】
前記天板たわみ防止部材８は、図４、図６、図１２及び図１３に示すように、天板２の中央部が下方にたわむのを防止するためのもので、外縁に前記使用姿勢（Ｕ）において前記連結ビーム４に当接する当接面８２と、この当接面８２に連続し前記跳ね上げ姿勢（Ｆ）から使用姿勢（Ｕ）に至る動作領域において前記連結ビーム４の外周面４１に常時近接する対向面８４とを有する当接板８１を備えたものである。すなわち、この天板たわみ防止部材８は、同一形状をなす２枚の当接板８１間に取付部８３を設けたものであって、合成樹脂等により一体に成形されており、前記取付部８３に貫挿したボルト８５を天板２の下面２１に設けた埋設ナット２３に螺着させることによって前記天板２に止着されている。
【００２５】
前記固定タイプのリンクステー９１は、図１〜図６及び図８〜図１３に示すように、基端部９１１をボルト９１２を用いて天板２の下面２１に取り付けられたもので、その先端部９１３を後述する幕板６の取付台座６３に枢着してある。
【００２６】
＜天板支持機構＞
前記左の天板支持機構３Ａは、図１〜図１１に示すように、前記天板２の下面２１に略直交する２枚の平行な仮想隣接平面Ｐ１、Ｐ２間に、前記脚体１Ａに取り付けられる軸プレート３１と、この軸プレート３１に軸支持され上面で前記天板２を受ける天板受け３２と、この天板受け３２を前記使用姿勢（Ｕ）及び前記跳ね上げ姿勢（Ｆ）に選択的にロックするためのロック爪３３とを配してなるものである。すなわち、この天板支持機構３Ａ、３Ｂは、前記脚体１Ａ、１Ｂに取り付けられ上半にヘッド部３６を有した軸プレート３１と、この軸プレート３１のヘッド部３６に軸支持された天板受け３２と、この天板受け３２内に配設された天板ロック用のロック爪３３とを備えたものである。
【００２７】
前記軸プレート３１は、図１及び図４〜図１１に示すように、前記取付面３５１を有した取付部３５と、この取付部３５から上方に延出し前記天板受け３２を主軸３７を介して軸支持するヘッド部３６とを備えたものである。前記取付部３５は、外側に取付面３５１を有したもので、その取付面３５１を前記一方の仮想隣接平面Ｐ１に合致させている。すなわち、外側に位置する一方の仮想隣接平面Ｐ１に略合致させた前記軸プレート３１の取付面３５１を、前記脚体１Ａの起立面である内側面１１９に側方から当接させて、当該軸プレート３１を前記脚体１Ａに取り付けるようにしてある。
【００２８】
前記取付部３５は、図１及び図４〜図１１に示すように、前記支柱１１の横ネジ孔１１５に対応する複数の第１のボルト挿通孔３５２と、前記連結ビーム４の軸心に対応する第２のボルト挿通孔３５５とを備えている。第１のボルト挿通孔３５２は、内側からボルト１１４を挿通して当該軸プレート３１と脚体１Ａとを結合するためのもので、内方端にボルト１１４の頭部１１４ａを収容する座ぐり孔３５４を備えている。第２のボルト挿通孔３５５は、外側からボルト３５６を挿通して当該軸プレート３１と前記連結ビーム４の一端とを結合するためのもので、外方端にボルト３５６の頭部３５６ａを収容する座ぐり孔３５７を備えている。なお、この取付部３５の取付面３５１には、前記支柱１１の位置決め孔１１６に嵌合する位置決めピン３８が突設されている。
【００２９】
前記軸プレート３１のヘッド部３６は、図７〜図１１に示すように、前記使用姿勢（Ｕ）に達した天板２を前記天板受け３２を介して上端面３９１により受け止めるヘッド部本体３９と、このヘッド部本体３９の一側に設けられ前記ロック爪３３が選択的に係わり合う第１、第２の係止部３０１、３０２を有した爪受け３０とを備えている。すなわち、前記軸プレート３１のヘッド部３６は、前記使用姿勢（Ｕ）に達した天板２を上端面３９１により受け止めるヘッド部本体３９と、このヘッド部本体３９の一側に設けられ前記ロック爪３３と係わり合って前記天板２を使用姿勢（Ｕ）にロックする第１の係止部３０１及び前記ロック爪３３と係わり合って前記天板２を跳ね上げ姿勢（Ｆ）にロックする第２の係止部３０２を有する爪受け３０とを備えたものであり、前記爪受け３０の前記ロック爪３３に対面する側の端縁３０３を、前記ヘッド部本体３９の端縁３９２よりも奥に控えた位置に配している。
【００３０】
前記爪受け３０は、図７〜図１１に示すように、前記ヘッド部本体３９と一体に成形されたもので、前記ヘッド部本体３９の外側に配されている。すなわち、前記軸プレート３１は、アルミダイキャスト製のもので、前記ヘッド部本体３９及び前記爪受け３０からなるヘッド部３６と、前記取付部３５とは、一体に成形されている。
【００３１】
前記天板受け３２は、図１〜図４及び図６〜図１１に示すように、前記天板２の下面２１に取り付けられる上板３２１と、この上板３２１の両側縁から延出され前記ヘッド部３６の両側に位置する対をなす側板３２２、３２３とを備えたものである。
【００３２】
前記上板３２１は、図７〜図１１に示すように、天板２の下面２１に密着する平板状のもので、前記埋設ナット２２に螺着されるボルト３２８により天板２に取り付けられている。
【００３３】
前記側板３２２、３２３は、図１〜図４及び図６〜図１１に示すように、この上板３２１の両側縁から延出され前記ヘッド部３６の両側に位置するもので、一方の側板３２２の外側面３２４は、前記外側に位置する一方の仮想隣接平面Ｐ１の内側に近接させてある。前記天板受け３２の両側板３２２、３２３間の内法寸法ｓ１は、前記ヘッド部３６の厚み寸法ｓ２にフラップ動作を許容するためのクリアランス寸法ｓ３を加算した値に設定されている。また、前記支柱１１の上端部分１１ｂと前記軸プレート３１のヘッド部本体３９との間に、前記爪受け３０及び前記天板受け３２の一方の側板３２２を収容可能な隙間が形成されている。前記両側板３２２、３２３には、前記主軸３７が貫通する主軸用貫通孔３２５と、ロック爪３３を支持する駆動軸３３３が貫通するロック爪用貫通孔３２６とが設けられている。
【００３４】
前記ロック爪３３は、図７、図８、図１０及び図１１に示すように、例えば、先端側に屈曲部３３１を備えた鎌状のもので、基端部３３２に前記駆動軸３３３が一体回転可能に貫装されている。駆動軸３３３の外方端３３４は、一方の側板３３２から外側方に突出しており、その外方端３３４にロック解除用の操作レバー３３０が装着されている。このロック爪３３は、図示しないねじりコイルスプリング等により軸プレート３１の爪受け３０方向に回動付勢されており、使用姿勢（Ｕ）においては、このロック爪３３の屈曲部３３１が前記爪受け３０の第１の係止部３０１に係わり合い、跳ね上げ姿勢（Ｆ）においては、前記屈曲部３３１の先端が前記爪受け３０の第２の係止部３０２に係わり合うようになっている。
【００３５】
この天板支持機構３Ａは、前記ロック爪３３及び前記ヘッド部３６を隠ぺいするようにして前記天板受け３２に設けられたカバー３４を備えている。
【００３６】
カバー３４は、図１〜図４、図６、図７及び図１０〜図１１に示すように、フラップ動作時に前記軸プレート３１との干渉を避けるための可動部３４１を備えている。なお、図８及び図９では、内部の機構を示すためカバー３４の図示を省略している。具体的には、このカバー３４は、前記天板受け３２における両側板３２２、３２３の外縁間に設けられフラップ動作時にいずれの部材とも干渉することのないカバー本体３４３と、このカバー本体３４３にヒンジ３４２を介して蝶着された可動部３４１とを備えたものである。
【００３７】
前記カバー本体３４３は、図３、図７及び図１０〜図１１に示すように、前記両側板３２２、３２３の先端縁間に蓋着される帯板状のもので、両側縁に前記両側板３２２、３２３の内側面に当接する取付片３４４を備えている。取付片３４４は、側板３２２、３２３に添接する側の面に突起３４５を備えており、その突起３４５を部材の一時的な弾性変形を利用して前記側板３２２、３２３に設けた取付孔３２７に係わり合わせることができるようになっている。
【００３８】
前記可動部３４１は、図１〜図４、図７及び図１０〜図１１に示すように、前記カバー本体３４３と略同一幅を有する板状のもので、一端が前記ヒンジ３４２を介して前記カバー本体３４３に回動自在に支持されており、図１１に示す跳ね上げ姿勢（Ｆ）において前記カバー本体３４３では隠しきれない余剰領域Ｒ１を隠ぺいするとともに、図１０に示す使用姿勢（Ｕ）で前記余剰領域Ｒ１から退避するように構成されている。
【００３９】
前記右の天板支持機構３Ｂは、図１、図４〜図６、図１２及び図１３に示すように、以上説明した左の天板支持機構３Ａと左右対称形状をなすものであり、同一又は対応する部分には同一の符号を付して説明を省略する。
【００４０】
＜連結ビーム＞
連結ビーム４は、図１、図４〜図９、図１２及び図１３に示すように、横断面円形をなすパイプ素材を所定長さに切断してなるビーム本体４２と、このビーム本体４２内の両端近傍部に剛結された固定ナット板４３とを備えたもので、前記固定ナット板４３の中心に前記ボルト３５６が螺着されるネジ孔４４が形成されている。そして、この連結ビーム４により前記左右の天板支持機構３Ａ、３Ｂ同士を結合させることにより、前記メカユニット７が構成されている。
【００４１】
＜メカユニット＞
メカユニット７は、図１〜図１３に示すように、左右に対をなす天板支持機構３Ａ、３Ｂと、これら天板支持機構３Ａ、３Ｂの軸プレート３１、３１同士を連結する前記連結ビーム４と、前記天板支持機構３Ａ、３Ｂの駆動軸３３３、３３３同士を連結する操作連動ビーム７１とを備えたものである。
【００４２】
前記軸プレート３１と前記連結ビーム４との結合は、連結ビーム４の端面を軸プレート３１の内側面に当接させ、軸プレート３１の外側面側から第２のボルト挿通孔３５５に挿入したボルト３５６を前記連結ビーム４のネジ孔４４に螺合させ緊締することにより行われる。前記ボルト３５６をネジ孔４４に締着した状態では、前記ボルト３５６の頭部３５６ａが前記軸プレート３１の座ぐり孔３５７に埋没するようになっている。
【００４３】
また、これら両天板支持機構３Ａ、３Ｂにおける軸プレート３１、３１の外側に形成された取付面３５１、３５１を左右に対をなす脚体１Ａ、１Ｂの内側に形成された起立面にそれぞれ取り付けている。すなわち、前記脚体１Ａ、１Ｂと前記軸プレート３１との結合は、脚体１Ａ、１Ｂの支柱１１に設けられた起立面である内側面１１９に軸プレート３１の取付部３５に形成された取付面３５１を添接させ、前記取付部３５に設けられた第１のボルト挿通孔３５２に挿入したボルト１１４を前記支柱１１のネジ孔４４に螺合させ緊締することにより行われる。なお、脚体１Ａ、１Ｂの支柱１１の起立面である内側面１１９に軸プレート３１の取付面３５１を添接させる際に、前記軸プレート３１に設けられた位置決めピン３８が前記支柱１１に設けられた位置決め孔１１６に嵌合し、軸プレート３１と支柱１１との位置決めがなされるようになっている。これによって、そのメカユニット７の外側に前記脚体１Ａ、１Ｂがそれぞれ配されることになる。
【００４４】
＜棚＞
前記棚５は、図１〜図４、図６及び図８〜図１３に示すように、左右対をなす側フレーム５１、５２と、これら側フレーム５１、５２間に架設される横架材５３とを備えたものである。前記側フレーム５１、５２はそれぞれ、基端部５１１、５２１を前記連結ビーム４に回動可能かつ着脱可能に支持させるとともに、先端部５１２、５２２を自由端タイプのリンクステー９３を介して前記天板２の使用端ｘ側、具体的には、天板受け３２の内側の側板３２３に支持させたもので、その内側面に前記横架材５３の端部を保持する保持孔５１３、５２３を備えている。側フレーム５１、５２の基端部５１１、５２１はそれぞれ、使用姿勢（Ｕ）において下方に開放された形態をなし、上側から前記連結ビーム４に対して着脱し得る形態をなしている。具体的には、前記棚５の側フレーム５１、５２の基端部５１１、５２１はそれぞれ、前記連結ビーム４に対して径方向から部材の一時的な弾性変形を利用して着脱し得る側面視Ｃ字形をなすものである。
【００４５】
＜幕板＞
前記幕板６は、図１〜図６及び図８〜図１３に示すように、中空板状をなす幕板本体６１と、この幕板本体６１の開口端に蓋着されたエンドカバー６２と、前記幕板本体６１にボルト６９、６０を介して取着されリンクステー９１、９２が取り付けられる取付台座６３、６４とを備えたものである。具体的には、前記幕板６は、左右両端部における上縁近傍部分６５に第１の取付台座６３を有するとともに、左右両端部における下縁近傍部分６６に第２の取付台座６４を有したものであり、前記天板２に固定された第１のリンクステー９１の先端部９１３が前記第１の取付台座６３に枢着されているとともに、前記脚体１Ａ、１Ｂに枢着された第２のリンクステー９２の先端部９２３が前記第２の取付台座６４に枢着されている。
【００４６】
以上に述べたように、本実施形態によれば、棚５の基端側を直接連結ビーム４に回動可能に支持させているので、棚５が天板２と連動してフラップ動作可能であり、収納時のスタックピッチの短縮を図ることができるとともに、棚５の基端側及び先端側をそれぞれリンクステーを介して天板側に支持させる態様と比較して、部品点数及び組み付け工数の削減を図ることができる。さらに、棚５の基端側、より具体的には側フレーム５１、５２の基端部５１１、５２１が前記連結ビーム４に着脱可能であるので、この棚５の連結ビーム４への組付けが容易化を図ることもできる。
【００４７】
また、棚５が、左右対をなす側フレーム５１、５２と、これら側フレーム５１、５２間に架設される横架材５３とを備え、前記側フレーム５１、５２の基端部５１１、５２１を前記連結ビーム４に回動可能に支持させるとともに、前記側フレーム５１、５２の先端部５１２、５２２を前記リンクステー９３、９３を介して前記天板２の使用端ｘ側に支持させているので、簡単な構成により、棚５の基端部を直接連結ビーム４に回動可能に支持させることができる。
【００４８】
さらに、前記連結ビーム４が横断面円形をなし、前記棚５の側フレーム５１、５２の基端部５１１、５２１が前記連結ビーム４に対して径方向から部材の一時的な弾性変形を利用して着脱しうる側面視Ｃ字形をなすので、このような棚５の連結ビーム４への取り付けを容易に行うことができる。
【００４９】
加えて、前記側フレーム５１、５２の基端部５１１、５２１が使用姿勢において下方に開放された形態をなし、上側から前記連結ビーム４に対して着脱しうるようにしているので、このような棚５の使用時に棚５の横架材上に載置した物品の荷重により棚５が落下する不具合の発生を抑制することができる。
【００５０】
そして、前記連結ビーム４により前記両天板支持機構３Ａ、３Ｂ同士を結合し、前記リンクステー９３、９３を前記天板支持機構３Ａ、３Ｂを構成する天板受け３２、３２の内側の側板２３２、２３２の使用端ｘ側に接続しているので、天板支持機構３Ａ、３Ｂ同士を連結ビーム４により連結したメカユニット７とこの棚５とを一体的に扱うことができる。
【００５１】
なお、本発明は上述した実施形態に限らない。
【００５２】
例えば、上述した実施形態では、棚が、左右対をなす側フレームと、これら側フレーム間に架設される横架材とを備え、前記側フレームの基端部を前記連結ビームに回動可能に支持させるとともに、リンクステーを介して前記側フレームの先端部を天板の使用端側に支持させているが、この態様に限らず、左右対をなす縦枠、これら対をなす縦枠の基端部同士を接続する第１の横枠及び前記対をなす縦枠の先端部同士を接続する第２の横枠を有する枠材と、前記枠材の縦枠の基端又は前記枠材の第１の横枠の基端側に設けられ枠材を前記連結ビームに回動可能に支持させる支持部材とを備えた棚を採用する態様等を採用してもよい。
【００５３】
また、上述した実施形態では、連結ビームにより左右に対をなす天板支持機構同士を結合しているが、連結ビームにより左右に対をなす脚体同士を結合する態様を採用してもよい。
【００５４】
さらに、上述した実施形態では、連結ビームが横断面円形をなすものであり、棚の側フレームの基端部が、前記連結ビームに対して径方向から部材の一時的な弾性変形を利用して着脱しうる側面視Ｃ字形をなすものであるが、例えば、棚の側フレームの基端部を、前記連結ビームの一半部に係り合う第１の支持要素と、前記連結ビームの他半部に係り合う第２の支持要素とを備えた半割構造を有するものとし、第１の支持要素の先端部と第２の支持要素の先端部とを、ネジに代表される止着具や、第１及び第２の支持要素の一方に設けた弾性爪と他方に設けた係合凹部とを係り合わせてなる弾性係合部等を介して接続する構成を採用してもよい。一方、連結ビームの横断面形状も、円形に限らず、矩形状等、任意の形状に設定してもよい。
【００５５】
加えて、上述した実施形態では、前記側フレームの基端部が、使用姿勢において下方に開放された形態をなし、上側から前記連結ビームに対して着脱しうるようにしているが、例えば、前記側フレームの基端部が使用姿勢において側方に開放された形態等を採用してもよい。
【００５６】
そして、上述した実施形態では、連結ビームにより左右に対をなす天板支持機構同士を結合し、リンクステーを前記天板支持機構を構成する天板受けに接続しているが、リンクステーを天板に直接接続する態様等を採用してもよい。
【００５７】
その他、本発明の趣旨を損ねない範囲で種々に変更してよい。
【符号の説明】
【００５８】
Ｔ…フラップ天板付家具
１Ａ、１Ｂ…脚体
２…天板
３Ａ、３Ｂ…天板支持機構
４…連結ビーム
５…棚
９３…リンクステー
ｘ…使用端
（Ｕ）…使用姿勢
（Ｆ）…跳ね上げ姿勢
【図１】
2014079532.tif 000003
【図２】
2014079532.tif 000004
【図３】
2014079532.tif 000005
【図４】
2014079532.tif 000006
【図５】
2014079532.tif 000007
【図６】
2014079532.tif 000008
【図７】
2014079532.tif 000009
【図８】
2014079532.tif 000010
【図９】
2014079532.tif 000011
【図１０】
2014079532.tif 000012
【図１１】
2014079532.tif 000013
【図１２】
2014079532.tif 000014
【図１３】
2014079532.tif 000015